(57)【要約】【課題】携帯電子機器を提供する。【解決手段】携帯端末１０は、操作部２１を備えた下筐体２０と、表示部３１を備えた上筐体３０と、下筐体２０と上筐体３０とを縦方向に相対的に移動可能に連結する第１の連結部４０と、上筐体３０と下筐体２０とを、縦方向とは異なる横方向に相対的に移動可能に連結する第２の連結部と、を備える。下筐体２０と上筐体３０が縦方向に相対的に移動したときの操作部３０の入力可能なキーの数と、下筐体２０と上筐体３０が横方向に相対的に移動したときの操作部４０の入力可能なキーの数が異なる。【選択図】図４
2010114527.tif 000002
【特許請求の範囲】
【請求項１】
操作部を備えた第１筐体と、
表示部を備えた第２筐体と、
前記第１筐体と前記第２筐体とを第１の方向に相対的に移動可能に連結する第１の連結部と、
前記第１筐体と前記第２筐体とを、前記第１の方向とは異なる第２の方向に相対的に移動可能に連結する第２の連結部と、を備え、
前記第１筐体と前記第２筐体が前記第１の方向に相対的に移動したときの前記操作部の入力可能なキーの数と、前記第１筐体と前記第２筐体が前記第２の方向に相対的に移動したときの前記操作部の入力可能なキーの数が異なる、携帯電子機器。
【請求項２】
請求項１記載の携帯電子機器であって、
前記第１の方向は、前記第１筐体と前記第２筐体を各々の長手方向に沿って開く方向であり、前記第２の方向は、前記第１筐体と前記第２筐体を各々の短手方向に沿って開く方向であり、
前記第１筐体と前記第２筐体が前記第１の方向に相対的に移動したときの前記操作部の入力可能なキーの数より、前記第１筐体と前記第２筐体が前記第２の方向に相対的に移動したときの前記操作部の入力可能なキーの数が多い、携帯電子機器。
【請求項３】
請求項１または２記載の携帯電子機器であって、
所定位置に透明部が設けられたキートップシートと、
前記キートップシートに対して裏側の面に押圧用突起を有するプッシャーシートと、
前記キートップシートと前記プッシャーシートとの間に設けられ、複数のキーが設けられた基板と、
前記基板の前記キーが記された面とは反対側の面に設けられ、前記複数のキーの各々に対応したダイヤフラムを有するダイヤフラムシートと、を備え、
前記プッシャーシートの前記押圧用突起は、前記ダイヤフラムシートの前記ダイヤフラム各々に応じて設けられ、
前記キートップシートと、前記プッシャーシートと、前記基板と、前記ダイヤフラムシートは、前記操作部を構成し、
前記基板および前記ダイヤフラムシートは、前記キートップシートおよび前記プッシャーシートに対して、一体的に第１の位置から第２の位置までの範囲で往復移動可能であり、
前記第１筐体と前記第２筐体が前記第１の方向に相対的に移動するとき、前記基板および前記ダイヤフラムシートは前記第１の位置に移動し、少なくとも前記第１筐体と前記第２筐体が前記第２の方向に相対的に移動するとき、前記基板および前記ダイヤフラムシートは前記第２の位置に位置し、
前記基板における前記キートップシート側の面には、
前記第１の位置において前記透明部から第１の方向に判読可能に前記複数のキーが設けられた第１の表記部と、
前記第２の位置において前記透明部から前記第１の方向とは異なる第２の方向に判読可能に前記複数のキーが設けられた第２の表記部とが設けられ、
前記第１の表記部における前記キーの数より、前記第２の表記部における前記キーの数が多い、携帯電子機器。
【請求項４】
請求項３記載の携帯電子機器であって、
前記プッシャーシートは、前記第１筐体と前記第２筐体が前記第１の方向に相対的に移動したとき、前記ダイヤフラムのうち機能しないダイヤフラムに対応した位置に設けられた誤操作防止用突起をさらに含む、携帯電子機器。
【発明の詳細な説明】
【技術分野】
【０００１】
本発明は、表示部の向きに合わせて最適な向きで操作できる操作部を用いた携帯電子機器に関するものである。
【背景技術】
【０００２】
２つの筐体が重なり合うように連結した携帯電子機器である折り畳み式の携帯端末では、ユーザーは、折り畳み式携帯端末を連結部の第１の回動軸を中心として開いた状態（縦開き状態）にして、テンキーなどの操作部を備えた第１の筐体を手で持ち、表示部を備えた第２の筐体を見るという使い型が一般的である。
【０００３】
ところで、近年、テレビジョン放送を受信して表示する携帯端末が実用化され、普及されてきたが、横長のテレビジョン放送画面を見るには、表示部を横長にする横開き状態の方が見やすい。また、データ入力やインターネットの用途で使う場合にも表示部を横長にする横開き状態の方が見やすい。そこで、第２の筐体を、第１の回動軸に直交する第２の回動軸まわりに回動させて開く構造が提案されている（例えば特許文献１参照）。
【０００４】
従来から提案されている折り畳み式の携帯端末の一例を図１０と図１１に示す。図１０の携帯端末１００は、操作部１０１を有する第１の筐体１０２と、表示部１０３を有する第２の筐体１０４と、連結部１０５の３つの筐体で構成されている。そして、第１の筐体１０２に設けた第１回動軸１０２ａに連結部１０５を矢印Ａ方向に回動自在に支持している。連結部１０５を矢印Ａ方向に回動することにより、第１の筐体１０２に対して第２の筐体１０４を第１の方向に開いて、縦開き状態とできる。
【０００５】
また、図１１に示すように、連結部１０５には第２回動軸１０４ａが設けられており、第２の筐体１０４を矢印Ｂ方向に回動自在に支持している。従って、第２の筐体１０４を矢印Ｂ方向へ回動させることにより、第１の筐体１０２に対して第２の筐体１０４を第２の方向に開いて、横開き状態とできる。
【０００６】
しかしながら、この構造では縦開き状態、もしくは横開き状態のどちらかの状態にしか操作部の表示を合わせることができない。そのため、表示面と操作表示があっていない状態では直感的に操作しにくいという問題があった。
【０００７】
そこで、キートップと、各キーのキー機能表示を外部から確認可能に表示したキー機能表示部を備えた電子機器のキー構造において、キー機能表示部は、キートップとの相対位置が変更可能であり、外部から確認可能なキー機能表示を切り替える電子機器のキー構造が知られている（例えば、特許文献２参照）。
【特許文献１】特開２００６−２２８９９号公報
【特許文献２】特開２００２−７０３４号公報
【発明の開示】
【発明が解決しようとする課題】
【０００８】
しかしながら、従来のようなキー機能表示を機械的に切り替える場合、横開きの状態にしたときでも操作部のキー機能の表示が縦開き状態用の表示のままでは、ユーザーにとって、直感的に操作することが難しくなる。
【０００９】
また、操作部に負荷が加えられた状態で筐体の開閉を実施すると、操作部の破損につながる可能性がある。
【００１０】
また、横開きの状態にした場合、数字キーよりも数の多いアルファベットキーの使用頻度が高くなる可能性が多く、縦開き状態よりもより多くのキーが設けられるのが望ましい。
【００１１】
本発明は、従来の問題を解決するためになされたもので、表示部の向きに合わせて最適な向きで操作できる操作部を用いた携帯電子機器を提供することを目的とする。
【課題を解決するための手段】
【００１２】
本発明の携帯電子機器は、操作部を備えた第１筐体と、表示部を備えた第２筐体と、前記第１筐体と前記第２筐体とを第１の方向に相対的に移動可能に連結する第１の連結部と、前記第１筐体と前記第２筐体とを、前記第１の方向とは異なる第２の方向に相対的に移動可能に連結する第２の連結部と、を備え、前記第１筐体と前記第２筐体が前記第１の方向に相対的に移動したときの前記操作部の入力可能なキーの数と、前記第１筐体と前記第２筐体が前記第２の方向に相対的に移動したときの前記操作部の入力可能なキーの数が異なる、構成を有している。
【００１３】
上記構成より、筐体の開き状態の違いに応じて、適宜キーの数を変え、開き状態に望ましいキーの数を用意し、ユーザーの使い勝手を向上させることができる。
【００１４】
また、本発明の携帯電子機器においては、前記第１の方向は、前記第１筐体と前記第２筐体を各々の長手方向に沿って開く方向であり、前記第２の方向は、前記第１筐体と前記第２筐体を各々の短手方向に沿って開く方向であり、前記第１筐体と前記第２筐体が前記第１の方向に相対的に移動したときの前記操作部の入力可能なキーの数より、前記第１筐体と前記第２筐体が前記第２の方向に相対的に移動したときの前記操作部の入力可能なキーの数が多いものが好ましい。
【００１５】
上記構成より、例えば横開き状態のようなキーの数が多いことが好ましい状態においても望ましいキーの数を用意し、ユーザーの使い勝手を向上させることができる。
【００１６】
また、本発明の携帯電子機器は、所定位置に透明部が設けられたキートップシートと、前記キートップシートに対して裏側の面に押圧用突起を有するプッシャーシートと、前記キートップシートと前記プッシャーシートとの間に設けられ、複数のキーが設けられた基板と、前記基板の前記キーが記された面とは反対側の面に設けられ、前記複数のキーの各々に対応したダイヤフラムを有するダイヤフラムシートと、を備え、前記プッシャーシートの前記押圧用突起は、前記ダイヤフラムシートの前記ダイヤフラム各々に応じて設けられ、前記キートップシートと、前記プッシャーシートと、前記基板と、前記ダイヤフラムシートは、前記操作部を構成し、前記基板および前記ダイヤフラムシートは、前記キートップシートおよび前記プッシャーシートに対して、一体的に第１の位置から第２の位置までの範囲で往復移動可能であり、前記第１筐体と前記第２筐体が前記第１の方向に相対的に移動するとき、前記基板および前記ダイヤフラムシートは前記第１の位置に移動し、少なくとも前記第１筐体と前記第２筐体が前記第２の方向に相対的に移動するとき、前記基板および前記ダイヤフラムシートは前記第２の位置に位置し、前記基板における前記キートップシート側の面には、前記第１の位置において前記透明部から第１の方向に判読可能に前記複数のキーが設けられた第１の表記部と、前記第２の位置において前記透明部から前記第１の方向とは異なる第２の方向に判読可能に前記複数のキーが設けられた第２の表記部とが設けられ、前記第１の表記部における前記キーの数より、前記第２の表記部における前記キーの数が多いものが望ましい。
【００１７】
上記構成より、例えば横開き状態のようなキーの数が多いことが好ましい状態においても具体的にキーの数を増やす構成を簡易に実現することができる。
【００１８】
さらに、本発明の携帯電子機器においては、前記プッシャーシートは、前記第１筐体と前記第２筐体が前記第１の方向に相対的に移動したとき、前記ダイヤフラムのうち機能しないダイヤフラムに対応した位置に設けられた誤操作防止用突起をさらに含むことが好ましい。
【００１９】
上記構成より、操作部において押圧すべきでない箇所を誤って押し、操作部を破壊することを抑えることができる。
【発明の効果】
【００２０】
本発明は、筐体の開き状態に応じて、適宜望ましいキーの数を用意し、ユーザーの使い勝手を向上させることができる携帯電子機器を提供できるものである。
【発明を実施するための最良の形態】
【００２１】
以下、本発明の実施形態の携帯電子機器について、図面を用いて説明する。図１は本発明にかかる実施形態の携帯電子機器の縦開き状態を示す斜視図、図２は携帯電子機器の横開き状態を示す斜視図である。
【００２２】
図１および図２に示すように、実施形態に係る携帯電子機器としての折り畳み式携帯端末１０では、操作部２１のある第１の筺体である下筐体２０と、表示部３１を有する第２の筐体である上筐体３０とが、第１の連結部４０および第２の連結部４３により回動可能に連結されている。
【００２３】
すなわち、図１に示すように、折り畳み式携帯端末１０では、例えば通話やメールを行う際に、上筐体３０を第１の連結部４０の回りに回動させて、下筐体２０に対して縦方向（第１の方向）に開く縦開き状態と、図２に示すように、例えばテレビを受信したり、ゲームをしたり、その他のデータ入力やインターネット等をする際に、上筐体３０を第２の連結部４３の回りに回動させて、下筐体２０に対して横方向（第２の方向）に開く横開き状態とが可能となっている。言い換えると、第１の方向は、下筐体２０と上筐体３０を各々の長手方向に沿って開く方向であり、第２の方向は、下筐体２０と上筐体３０を各々の短手方向に沿って開く方向である。
【００２４】
操作部２１には、四方向キー２２および文字や数字を入力するテンキー２３が設けられている。テンキー２３では、縦開き状態で使用する際には、電話機として使えるように、規格で定められた電話機用のテンキー２３配列で、第１の方向（図１中矢印Ａ方向）を上下とする向きで表示される。また、横開き状態で使用する際には、第１列目は左から「１」、「２」、「３」、「４」、「５」、「６」、「７」、「８」、「９」、「０」と数字のテンキーが並んでいる。第２列目は、アルファベットのテンキーがＱＷＥＲＴＹ配列を実現するように並べられている。すなわち、縦開き状態では一つの入力可能なキーしか表記されていないが、横開き状態では二つの入力可能なキーが表記されることなり、横開き状態の入力可能なキーの数は、縦開き状態の入力可能なキーの数より多くなっている。
【００２５】
例えば、縦開き状態での「８」のテンキーは（図１参照）、横開き状態では「Ｉ，Ｋ」（「上段キー，下段キー」の意であり、以下同じ。）二つのテンキーになる（図２参照）。したがって、第２列目は左から、「Ｑ，Ａ」、「Ｗ，Ｓ」、「Ｅ，Ｄ」、「Ｒ，Ｆ」、「Ｔ，Ｇ」、「Ｙ，Ｈ」、「Ｕ，Ｊ」、「Ｉ，Ｋ」、「Ｏ，Ｌ」、「Ｐ」というアルファベットのテンキーが並んでいる。
【００２６】
第３列目は左から「Ｚ」、「Ｘ」、「Ｃ」、「Ｖ」、「Ｂ」、「Ｎ」、「Ｍ」と、ＱＷＥＲＴＹ配列における続きのキーが並べられ、その後、着信キー、クリアキー、切断キーが並べられている。縦開き状態において、数字およびアルファベットの向きは、第２の方向（図２中矢印Ｂ方向）を上下とする向きで表示される。
【００２７】
操作部２１においては、下筐体２０の上面に、四方向キー２２、決定キー２５、テンキー２３に対応して窓２２ａ、２５ａ、２３ａが設けられており、基板５４（図３参照）に表示された各キーの表示が見えるようになっている。
【００２８】
下筐体２０の内部には、操作部２１を構成するキーシート５０が設けられている。図３のキーシートの分解斜視図に示すように、キーシート５０は、最上面に配置されたキートップシート５１と、最下面に配置されたプッシャーシート５３と、キートップシート５１とプッシャーシート５３との間に配置されるとともに両者の間に空間を形成する枠部５６と、当該空間において、キートップシート５１およびプッシャーシート５３に対して面方向に沿って所定の範囲で往復移動可能な基板５４およびダイヤフラムシート５２とを積層して構成されている。
【００２９】
キートップシート５１においては、透明な本体５１ｂの表面における、操作部２１における窓２２ａ、２３ａに対応する所定部分以外の部分に、不透明な塗料５１ｃを裏側に塗布することにより、所定位置に透明部５１ａを形成している。これにより、窓２２ａ、２３ａに対応した位置に透明部５１ａを容易に形成できる。そして、透明部５１ａは他の部分より表側に突出した状態で形成されており、下筐体２０の上面に形成された窓２２ａ、２３ａに嵌まる（図５以下参照）。
【００３０】
図３に示すように、基板５４は、例えばフレキシブルプリント基板などでできており、一端に凸状のフォロア取付部５４ａが形成されている。フォロア取付部５４ａには、第１の連結部を構成する図示せぬ第１の回動軸に設けられているフォロア移動機構によって往復移動するフォロア部材（図示せず）が取付けられる。
【００３１】
さらに基板５４の下面（キートップシート５１に面した面とは反対側の面）には、ダイヤフラムシート５２が設けられている。本実施形態では、図５等に示すように、ダイヤフラムシート５２は、基板５４の下面に接着剤によって接着されている。ダイヤフラムシート５２の下面（基板５４に接着される面とは反対側の面）にはダイヤフラム（ドームスイッチ）５２ａが設けられている。ユーザーがキートップシート５１を押すことにより基板５４を介してダイヤフラムシート５２をたわませることにより、ダイヤフラム５２ａが、後述するプッシャーシート５３の押圧用突起５３ａと接触する。
【００３２】
最上層のキートップシート５１と最下層のプッシャーシート５３の間で、それぞれのシートの外周部には、枠部５６が設けられる。すなわち、枠部５６は、キートップシート５１とプッシャーシート５３との間に隙間を確保し、一体化された基板５４およびダイヤフラムシート５２の周囲に設けられ、かつ両者の動きを規制する。なお、枠部５６の下面(裏面)の一部には、段差部５６ａを設けて枠部５６の肉厚を薄くし、上述した基板５４のフオロア取付部５４ａが通るようにしている。
【００３３】
なお、基板５４およびダイヤフラムシート５２は、第１連結部の第１回動軸（図示せず）が回転した場合のみ移動し、第１回動軸が回転しない場合、すなわち、上下筐体２０、３０を閉じた状態および上筐体３０を横開きにした場合には、基板５４およびダイヤフラムシート５２は、図示省略のバネ部材により付勢されて、原点位置（横開き状態に適した位置）にあって移動しない。
【００３４】
従って、上筐体３０の開き方（第１回動軸の回転の仕方）に応じたフォロア部材（図示せず）が往復移動に伴い、基板５４およびダイヤフラムシート５２は、枠部５６の内側で、キートップシート５１とプッシャーシート５３との間の隙間を移動可能に保持されることになる。
【００３５】
すなわち、基板５４およびダイヤフラムシート５２は、例えば上筐体３０を第１の連結部４０の第１回動軸を中心として縦開きにして電話機として使用する際には、図４中矢印Ａの左側方向へ移動して縦開き状態に適した第１の位置（図５参照）に位置する。
【００３６】
また、上筐体３０を第２の連結部４３の第２回動軸（図示せず）を中心として横開きにして使用する際には、横開き状態に適した第２の位置（図参照）に位置する。基板５４およびダイヤフラムシート５２は、この第１の位置と第２の位置の間で往復移動可能となっている。
【００３７】
図４の基板５４の平面図に示すように、基板５４におけるキートップシート５１側の面（ここでは上面）には、第１の位置（縦開き状態）においてキートップシート５１の透明部５１ａから第１の方向（縦開き状態における上下方向）に判読可能に表記が設けられた第１の表記部５８と、第２の位置（横開き状態）において透明部５１ａから第１の方向とは異なる第２の方向（横開き状態における上下方向）に判読可能に表記が設けられた第２の表記部５９とが設けられている。第１の表記部５８と第２の表記部５９により、基板５４の表記部が構成される。
【００３８】
すなわち、前述したように、第１の表記部５８においては、電話機として使えるように、規格で定められた電話機用のテンキー２３配列で、第１の方向（図１中矢印Ａ方向）を上下とする向きで表示される。また、第２の表記部５９においては、第１列目は数字のテンキー、第２列目はアルファベットのＱＷＥＲＴＹ配列のうちＱからＰまでのテンキー、第３列目はＱＷＥＲＴＹ配列のうちＺからＭまでのテンキーと他の三つのテンキーが並んでおり、数字、文字、記号の向きは、第２の方向（図２中矢印Ｂ方向）を上下とする向きで表示される。そして、第１の表記部５８と第２の表記部５９とが、基板５４のスライド量に対応して、スライド方向に隣接して設けられている。
【００３９】
ダイヤフラム５２ａは、三つの列（ダイヤフラム列）５２Ａ、５２Ｂ、５２Ｃに沿って配置されており、両側のダイヤフラム列５２Ａ、５２Ｃは、１個のダイヤフラム５２ａの列で構成されている。一方、真ん中のダイヤフラム列５２Ｂは、１個のダイヤフラムと列方向とは垂直の方向に並べられた２個のダイヤフラムの繰り返しからなる列から構成されている。したがって、矢印Ｃで示された部分では、行方向にダイヤフラム５２ａが３個並べられており、矢印Ｄで示された部分では、行方向にダイヤフラム５２ａが、１＋２＋１＝４個並べられている。
【００４０】
すなわち、矢印Ｃで示された部分は、基板５４の第１の表記部５８の直下に対応して設けられ、矢印Ｄで示された部分は、基板５４の第２の表記部５９の直下に対応して設けられている。
【００４１】
図３に示すように、基板５４およびダイヤフラムシート５２の下側にはプッシャーシート５３が設けられている。プッシャーシート５３には複数の円筒状の押圧用突起５３ａが、ダイヤフラム５２ａに応じて設けられている。ユーザーがキートップシート５１を押すことにより基板５４を介してダイヤフラムシート５２をたわませ、ダイヤフラム５２ａが、プッシャーシート５３の押圧用突起５３ａと接触する。さらにダイヤフラムシート５２がたわむと、押圧用突起５３ａがダイヤフラム５２ａの表面をへこませ、ダイヤフラム５２ａの内面を上昇させて、基板５４に設けられている櫛歯形電極（図示せず）に接触させて、キー入力が実現される。
【００４２】
押圧用突起５３ａは、三つの列（押圧用突起列）５３Ａ、５３Ｂ、５３Ｃに沿って配置されており、両側の押圧用突起列５３Ａ、５３Ｃは、１個の押圧用突起５３ａの列で構成されている。一方、真ん中の押圧用突起列５３Ｂは、列方向とは垂直の方向に並べられた３個の押圧用突起５３ａからなる列から構成されている。したがって、行方向には、１＋３＋１＝５個の押圧用突起５３ａが並べられている。
【００４３】
次に、縦開き状態および横開き状態における下筐体内部、特にキーシート５０の状態を説明する。図５は、実施形態の折り畳み式携帯端末１０の縦開き状態における、図１中Ｖ−Ｖ線に沿った下筐体の縦方向断面図である。この断面図では縦方向断面の一部が示されている。この状態において、基板５４とダイヤフラムシート５２は、上述した第１の位置に位置している。
【００４４】
上述したように、ユーザーがキートップシート５１の所定のキー、すなわち透明部５１ａを押すことにより、基板５４を介してダイヤフラムシート５２がたわみ、ダイヤフラム５２ａが、プッシャーシート５３の押圧用突起５３ａと接触する。さらにダイヤフラムシート５２がたわむと、押圧用突起５３ａがダイヤフラム５２ａの表面をへこませ、ダイヤフラム５２ａの内面を上昇させて、基板５４に設けられている櫛歯形電極（図示せず）に接触させて、キー入力が実現される。図５における三つのダイヤフラム５２ａのうち、両端のダイヤフラム５２ａは、対応する透明部５１ａが押されるとこのような作用を奏するので、適切なキー操作が可能となる。また、ダイヤフラム５２ａがたわむことにより、ユーザーは適切なクリック感を得ることができる。尚、プッシャーシート５３の下側には、他の電子基板２４が配置されている。
【００４５】
また、押圧用突起５３ａとは別にプッシャーシート５３には、図５に示すように誤操作防止用突起５３ｂが設けられている（図３においては図示省略）。誤操作防止用突起５３ｂは、押圧用突起５３ａの下筐体のＡ方向（図１）の並び方向において、押圧用突起５３ａの間に設けられており、押圧用突起５３ａよりその高さは小さい。そして、誤操作防止用突起５３ｂは、ダイヤフラム５２ａをたわませる機能はなく、むしろ、機能しないダイヤフラム５２ａに対応して設けられている。
【００４６】
例えば図５におけるＳ２の領域は、透明部５１ａ以外の領域であり、本来は押される領域ではないので、ダイヤフラムは必要がない。しかしながら、本実施形態では、ダイヤフラムシートがスライドすることに対応して多くのダイヤフラムが設けられているため、Ｓ２の直下にもダイヤフラム５２ａが位置することがある。
【００４７】
そこで、ユーザーが誤って透明部５１ａ以外の領域（図５におけるＳ２の領域）を押しても、図５の点線で示すようにダイヤフラム５２ａの下端が二つの押圧用突起５３ａに当接した位置で下げ止まる構造にすることで、ユーザーはクリック感を得ない。したがって、ユーザーによる誤操作による誤入力を防ぐことができる。
【００４８】
図６は、図５と同様、実施形態の折り畳み式携帯端末１０の縦開き状態における、図１中ＶＩ−ＶＩ線に沿った下筐体の横方向断面図である。方向キー２２、決定キー２５各々に対し、ダイヤフラム５２ａが１個づつ対応している。特に真ん中の決定キー２５に対しては、真ん中のダイヤフラム列５２Ｂにおける１個のダイヤフラム列が対応しており（図３の矢印Ｃの領域の真ん中）、点線で示されたように、列方向とは垂直の方向に並べられた２個のダイヤフラム（図３の矢印Ｄの領域の真ん中）は対応せず、機能しない。
【００４９】
図７は、実施形態の携帯電子機器の閉じた状態または横開き状態における、図２中ＶＩＩ−ＶＩＩ線に沿った下筐体の横方向断面図である。この状態において、基板５４とダイヤフラムシート５２は、上述した第２の位置に位置している。すなわち、図２に対応して、真ん中のキーは、「Ｅ，Ｄ」二つのキーが表示され（図４のＳの領域）、直下に二つのダイヤフラム５２ａ、すなわち、ダイヤフラム列５２Ｂにおける２個のダイヤフラム（図３の矢印Ｄの領域の真ん中）が位置している。したがって、ユーザーは、ＥのテンキーとＤのテンキー各々を、独立して押すことができ、かつ押圧時に別々のテンキーとしてクリック感を得ることができる。
【００５０】
また、点線で表されたダイヤフラム５２ａは、真ん中のダイヤフラム列５２Ｂにおける１個のダイヤフラム列が対応しており（図３の矢印Ｃの領域の真ん中）、キートップシート５１の透明部５１ａの直下に配置されていないので機能しない。
【００５１】
図６および図７に示すように、実施形態においては、二つの開き状態で操作可能なキーの数が変化し、このことは基板におけるキー表示の変化および対応するダイヤフラムの個数の変化により達成されることがわかる。本実施形態においては、折りたたみ式携帯端末の筐体の開き状態に応じて、適切なキーの配置、個数を設定することが可能となる。
【００５２】
次に、変形例の折り畳み式携帯端末の下筐体内部、特にキーシート５０の状態を、図８、図９を用いて説明する。図８は、変形例の折り畳み式携帯端末の縦開き状態における、図１中ＶＩ−ＶＩ線に沿った下筐体の縦方向断面図である。この状態において、基板５４とダイヤフラムシート５２は、上述した第１の位置に位置している。本明細書においては、変形例の斜視図は省略しているので、実施形態の斜視図を用いている。
【００５３】
実施形態においては、ダイヤフラム列５２Ａ、５２Ｃのダイヤフラム５２ａの数は、ダイヤフラム列５２Ｂの数より少ない。また、押圧用突起列５３Ａ、５３Ｃの押圧用突起５３ａの数は、押圧用突起列５３Ｂの押圧用突起５３ａの数より少ない。一方、変形例では、ダイヤフラム、押圧用突起とも、総ての列で等しい数に設定されている。すなわち、変形例では、三つのダイヤフラム列５２Ａ、５２Ｂ、５２Ｃは、総て実施形態におけるダイヤフラム列５２Ｂと同様のダイヤフラム数、形態に設定されており、三つの押圧用突起列５３Ａ、５３Ｂ、５３Ｃは、総て実施形態の押圧用突起列５３Ｂと同様の突起数、形態に設定されている。
【００５４】
図８の縦開きの状態での横方向断面図では、１つの透明部５１ａに対し、一つのダイヤフラム５２ａが対応しており、押圧用突起５３ａも三つのうち、真ん中の一つのみがダイヤフラム５２ａと接し、押圧時にクリック感を出すよう機能する。点線で示したダイヤフラム５２ａは機能しない。
【００５５】
図９は、同じ変形例の折り畳み式携帯端末の閉じた状態または横開き状態における、図２中ＶＩＩ−ＶＩＩ線に沿った下筐体の横方向断面図である。この状態において、基板５４とダイヤフラムシート５２は、上述した第２の位置に位置している。本明細書においては、変形例の斜視図は省略しているので、実施形態の斜視図を用いている。
【００５６】
図９の状態では、１つの透明部透明部５１ａに対し、二つのダイヤフラム５２ａが対応しており、押圧用突起５３ａも三つのうち、両端の二つがダイヤフラム５２ａと接し、押圧時にクリック感を出すよう機能する。点線で示したダイヤフラム５２ａは機能しない。
【００５７】
図８および図９に示すように、変形例においても、二つの開き状態で操作可能なキーの数が変化し、このことは基板におけるキー表示の変化および対応するダイヤフラムの個数の変化により達成されることがわかる。変形例においても、折りたたみ式携帯端末の筐体の開き状態に応じて、適切なキーの配置、個数を設定することが可能となる。
【００５８】
なお、本発明の携帯電子機器は、前述した実施形態に限定されるものでなく、適宜な変形，改良等が可能である。すなわち、本発明は、第１および第２の筐体が、第１の方向と第２の方向に相対的に移動可能に二つの連結部で連結されており、第１筐体と第２筐体が第１の方向に相対的に移動したときの操作部の入力可能なキーの数と、第１筐体と第２筐体が第２の方向に相対的に移動したときの操作部の入力可能なキーの数が異なる携帯電子機器である。例えば、前述した実施形態においては、二つのヒンジ部を中心として筐体が相対的に２方向に回動する携帯電話を例示したが、これに限るものではなく、例えば、筐体が相対的に２方向にスライドする携帯電話にも本発明は適用可能である。
【００５９】
また、前述した実施形態におけるダイヤフラムシートのダイヤフラムをプッシャーシートに設け、プッシャーシートの押圧用突起をダイヤフラムシートに設けるように構成してもよい。
【００６０】
また、携帯電子機器は、携帯電話だけでなく、ＰＤＡ、ノートパソコン、ゲーム機等の持ち運び可能な電子機器であってもよい。
【００６１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６２】
本発明によれば、筐体の開き状態に応じて、適宜望ましいキーの数を用意し、ユーザーの使い勝手を向上させることができる携帯電子機器が提供される。
【図面の簡単な説明】
【００６３】
【図１】本発明にかかる実施形態の折り畳み式携帯端末の縦開き状態を示す斜視図
【図２】実施形態の折り畳み式携帯端末の横開き状態を示す斜視図
【図３】実施形態のキーシートの分解斜視図
【図４】キーが記された基板の平面図
【図５】実施形態の折り畳み式携帯端末の縦開き状態における、図１中Ｖ−Ｖ線に沿った下筐体の縦方向断面図
【図６】実施形態の折り畳み式携帯端末の縦開き状態における、図１中ＶＩ−ＶＩ線に沿った下筐体の横方向断面図
【図７】実施形態の折り畳み式携帯端末の閉じた状態または横開き状態における、図２中ＶＩＩ−ＶＩＩ線に沿った下筐体の横方向断面図
【図８】変形例の折り畳み式携帯端末の縦開き状態における、図１中ＶＩ−ＶＩ線に沿った下筐体の横方向断面図
【図９】変形例の折り畳み式携帯端末の閉じた状態または横開き状態における、図２中ＶＩＩ−ＶＩＩ線に沿った下筐体の横方向断面図
【図１０】従来の折り畳み式携帯電話の縦開き状態を示す斜視図
【図１１】従来の折り畳み式携帯電話の横開き状態を示す斜視図
【符号の説明】
【００６４】
１０    携帯端末（携帯電子機器）
５０    キーシート
５１    キートップシート
５１ａ  透明部
５２    ダイヤフラムシート
５２ａ  ダイヤフラム
５３    プッシャーシート
５３ａ  押圧用突起
５４    基板
５８    第１の表記部
５９    第２の表記部
【図１】
2010114527.tif 000003
【図２】
2010114527.tif 000004
【図３】
2010114527.tif 000005
【図４】
2010114527.tif 000006
【図５】
2010114527.tif 000007
【図６】
2010114527.tif 000008
【図７】
2010114527.tif 000009
【図８】
2010114527.tif 000010
【図９】
2010114527.tif 000011
【図１０】
2010114527.tif 000012
【図１１】
2010114527.tif 000013